(57)【要約】  【課題】  通常時の施錠、開錠操作の操作性を維持しつつ、いわゆるサムターン回しに対処可能な防犯特性の高いサムターンおよび錠前の提供を目的とする。  【解決手段】  サムターン１は、キャップ部材２の内部に摘み部材５に装着されこれと一体的に回転するストッパー部材５０と、ロックピース３０、解除ピース４０を備えて構成される不正開錠防止機構を備えている。サムターン１は、不正開錠を試みようとして摘み部７を押し上げようとする外力Ｆ１を受けると、ストッパー部材５０が解除ピース４０を押しのける。これによりロックピース３０がストッパー部材５０に近接し、ロック片３６が凹部５５に嵌り込み、摘み部材５の操作が不可能になる。【選択図】  図１１
2005256491.tif 000002
【特許請求の範囲】
【請求項１】
摘みと回転軸とを有し、所定方向に偏心可能に支持された摘み部材と、当該摘み部材と一体的に回転する回転阻止手段と、当該回転阻止手段に対して近接離反可能な制動手段とを有し、回転阻止手段は、周壁部を有し、当該周壁部に係合部が設けられたものであり、制動手段は、回転阻止手段の係合部と係合可能な被係合部を有し、所定の制動回転軸を中心として回動するものであり、常時は、回転阻止手段の係合部と制動手段の被係合部とが係合不可能な位置にあり、回転軸の偏心に伴って回転阻止手段の係合部が前記被係合部の回動領域に移動すると共に制動手段の被係合部が回転阻止手段に近接し、係合部と制動手段の被係合部とが係合して回転軸が回転不能に支持されることを特徴とするサムターン。
【請求項２】
摘みと回転軸とを有し、所定方向に偏心可能に支持された摘み部材と、当該摘み部材と一体的に回転する回転阻止手段と、当該回転阻止手段に対して近接離反可能な制動手段と、開錠防止手段を制動手段から離反させて離反構造を形成する離反手段とを有し、回転軸の偏心に伴って前記離反構造が解除され、制動手段が、回転阻止手段に近接して回転阻止手段と係合し、回転軸が回転不能に支持されることを特徴とするサムターン。
【請求項３】
摘みと回転軸とを有し、所定方向に偏心可能に支持された摘み部材と、当該摘み部材と一体的に回転する回転阻止手段と、当該回転阻止手段に対して近接離反可能な制動手段と、当該制動手段を回転阻止手段から離反した状態に支持して支持構造を形成する離反手段とを有し、回転阻止手段は、摘み部材の偏心に伴って所定の軌跡に沿って移動するものであり、離反手段は、所定の位置にある回動阻止手段の外周部に当接し前記軌跡を横切ることにより前記支持構造を形成し、当該支持構造は、回動阻止手段の偏心に伴って解除され、制動手段は、前記支持構造が解除されることを条件として回動阻止手段に近接して係合し、摘み部材の回動を阻止することを特徴とするサムターン。
【請求項４】
離反手段は、先端が制動手段に当接し、所定の回転中心を中心として回動自在な支持部を有し、当該支持部の中間部位において摘み部材の偏心に伴って回転阻止手段が移動して形成される軌跡が交差することを特徴とする請求項３に記載のサムターン。
【請求項５】
回転阻止手段は、外周部と、当該外周部から径方向外側に突出した突出部とを有し、前記回転阻止手段が所定の回転中心を中心として回転可能な回転領域と、当該回転領域内に配置された回転阻止手段の偏心に伴って突出部が侵入し、突出部の周方向への移動を阻止する侵入領域とが設けられていることを特徴とする請求項１乃至４のいずれかに記載のサムターン。
【請求項６】
回転阻止手段は、外周部と、当該外周部から径方向外側に突出した突出部とを有し、所定の回転領域内の回転中心を中心として回転可能なように配置されており、前記回転領域内には、前記突出部の周方向への移動を阻止する移動阻止部が設けられていることを特徴とする請求項１乃至５のいずれかに記載のサムターン。
【請求項７】
回転阻止手段は、外周部と、当該外周部から径方向外側に突出した突出部とを有し、所定の回転領域内の回転中心を中心として回転可能に配置されており、前記回転領域内には、摘み部材が偏心可能な方向とは逆方向の成分を有する外力が摘み部材に作用した場合に突出部に当接し、回転阻止部材の回動を阻止する移動阻止部が設けられていることを特徴とする請求項１乃至６のいずれかに記載のサムターン。
【請求項８】
摘み手段は、回転軸と摘みとが偏心した位置関係にあることを特徴とする請求項１乃至７のいずれかに記載のサムターン。
【請求項９】
制動手段は、回動阻止手段に近接する方向に付勢されていることを特徴とする請求項１乃至８のいずれかに記載のサムターン。
【請求項１０】
制動手段および離反手段は、それぞれ回動阻止手段に近接する方向に所定の付勢力で付勢されており、制動手段に作用する付勢力は、離反手段に作用する付勢力よりも小さいことを特徴とする請求項１乃至９のいずれかに記載のサムターン。
【請求項１１】
施錠片を錠箱から出入りさせるための動作機構を有し、当該動作機構に請求項１乃至１０のいずれかに記載のサムターンが接続されていることを特徴とする錠前。
【発明の詳細な説明】
【技術分野】
【０００１】
本発明は錠前および錠前に採用されるサムターンに関するものであり、特にサムターン回しと称される不正開錠を阻止可能なものに関する。
【背景技術】
【０００２】
従来より、摘み部材を回動させることによりロックボルトを出入りさせ、これにより施錠あるいは開錠を行う錠前が玄関の扉等に採用されている。錠前は、本体部分が扉内に埋め込まれ、扉の側面からデッドボルトを突出・退入可能なように固定されている。錠前を玄関先の扉の施錠に採用する場合は、扉の屋外側に錠前の施錠・開錠を行うためのシリンダー錠を設けると共に、屋内側に摘み部材が取り付けられている。
【０００３】
デッドボルトは、シリンダー錠あるいは摘み部材を回動させることにより扉の側面から出入りするようになっている。扉が固定されている扉枠には、扉の側面から突出したデッドボルトを収納可能な収納部が設けられている。扉は、シリンダー錠や摘み部材を回動させ、デッドボルトを収納部に出入りさせることにより施錠状態あるいは開錠状態になる。
【０００４】
一方、近年ドリル等で扉に穴を空けたり、扉と扉の取り付け枠との隙間から工具等を差し込み、摘み部材を回して不正開錠する、いわゆるサムターン回しという手口で家屋に侵入する犯罪が横行しており、社会的問題となっている。かかる問題を解決すべく、例えば下記特許文献１に示すように扉の摘み部材を囲む位置にサムターンカバーを設けることにより、いわゆるサムターン回しによる不正開錠を防止する方策が提案されている。
【０００５】
また、上記したサムターン回しによる不正開錠を防止すべく、下記特許文献２に示すような摘み部材を具備した錠前がある。特許文献２に開示されている摘み部材は、摘み部分が着脱可能であり、摘み部分を抜いておくことで不正開錠を防止するものである。
【特許文献１】特開２００３−０５６２１８号公報
【特許文献２】特開平１１−２００６７８号公報
【発明の開示】
【発明が解決しようとする課題】
【０００６】
上記特許文献１に開示されているように、摘み部材の周囲にサムターンカバーを設ければ、扉に穴を空けたりして工具等を差し込んでも、その工具が摘み部材に到達し難い。そのため、摘み部材を特許文献１に開示されているようなサムターンカバーで保護すれば、扉の不正開錠を防止することができる。
【０００７】
しかし、上記したようにサムターンカバーを設ける場合、摘み部材の回動操作を行う度にサムターンカバーの蓋体を開ける必要がある。また、サムターンカバーで摘み部材を囲む場合、サムターンカバーで囲まれた領域内に指を入れて摘み部材の操作を行わねばならず、サムターンの操作が少なからず不自由になってしまう。さらに、サムターンカバーを設ける場合は、蓋体を閉じ忘れてしまうとサムターン回しに対する防犯効果が半減してしまうという問題点を有する。また、上記特許文献２のように摘み部材の摘み部分が着脱可能な構成とした場合も、摘み部分を抜き忘れてしまうとサムターン回しによる不正開錠に対する効果が全く発揮できないという問題がある。
【０００８】
かかる問題に鑑み、本発明は、通常時の施錠、開錠操作の操作性を維持しつつ、いわゆるサムターン回しに対処可能な防犯特性の高いサムターンおよび錠前の提供を目的とする。
【課題を解決するための手段】
【０００９】
一般的にサムターン回しと称されるような不正開錠は、扉のサムターンが装着されている近傍の隙間や扉に開けた孔から工具等を差し込み、摘みに工具を引っ掛ける等して外力を作用させてサムターンの操作を行う手法で行われる。そのため、上記したような不正開錠が行われると、摘みを指で摘んでサムターンを通常に操作する場合とは異なり、摘み部材が偏心する方向に大きな外力が作用する。
【００１０】
そこで、かかる知見に基づいて提供される請求項１に記載の発明は、摘みと回転軸とを有し、所定方向に偏心可能に支持された摘み部材と、当該摘み部材と一体的に回転する回転阻止手段と、当該回転阻止手段に対して近接離反可能な制動手段とを有し、回転阻止手段は、周壁部を有し、当該周壁部に係合部が設けられたものであり、制動手段は、回転阻止手段の係合部と係合可能な被係合部を有し、所定の制動回転軸を中心として回動するものであり、常時は、回転阻止手段の係合部と制動手段の被係合部とが係合不可能な位置にあり、回転軸の偏心に伴って回転阻止手段の係合部が前記被係合部の回動領域に移動すると共に制動手段の被係合部が回転阻止手段に近接し、係合部と制動手段の被係合部とが係合して回転軸が回転不能に支持されることを特徴とするサムターンである。
【００１１】
本発明のサムターンは、常時は回転阻止手段の係合部が制動手段の被係合部が移動する軌跡から外れた位置にある。そのため、本発明のサムターンは、通常に操作する限りは回転阻止手段が自由に回動可能な状態にあり、摘み部材を自由に操作できる。
【００１２】
一方、本発明のサムターンは、サムターン回しのような不正開錠を試みようとして摘み部材に作用する外力により回転軸が偏心すると、回転阻止手段が偏心し、回転阻止手段の係合部が制動手段の被係合部と係合し、回転軸が回転不能となる。そのため、本発明によれば、摘み部材を不正操作するサムターン回しのような不正開錠に対する防犯特性に優れたサムターンを提供できる。
【００１３】
請求項２に記載の発明は、摘みと回転軸とを有し、所定方向に偏心可能に支持された摘み部材と、当該摘み部材と一体的に回転する回転阻止手段と、当該回転阻止手段に対して近接離反可能な制動手段と、開錠防止手段を制動手段から離反させて離反構造を形成する離反手段とを有し、回転軸の偏心に伴って前記離反構造が解除され、制動手段が、回転阻止手段に近接して回転阻止手段と係合し、回転軸が回転不能に支持されることを特徴とするサムターンである。
【００１４】
本発明のサムターンは、回転軸が通常位置にある場合は、制動手段が回転阻止手段から離れた位置にあり、回転阻止手段が自由に回動可能な状態にある。そのため、本発明のサムターンは、摘みを摘んで通常の操作を行う限りは自由に操作することができる。
【００１５】
一方、本発明のサムターンは、回転軸が偏心すると開錠防止手段と制動手段の離反構造が解除されて制動手段が回転阻止手段に近接し、制動手段と回転阻止手段とが係合した状態となり、回転軸が回転不能となる。そのため、本発明のサムターンは、サムターン回しのような不正開錠を試みようとしても、摘み部材の回転軸が偏心して回転不能となる。
【００１６】
請求項３に記載の発明は、摘みと回転軸とを有し、所定方向に偏心可能に支持された摘み部材と、当該摘み部材と一体的に回転する回転阻止手段と、当該回転阻止手段に対して近接離反可能な制動手段と、当該制動手段を回転阻止手段から離反した状態に支持して支持構造を形成する離反手段とを有し、回転阻止手段は、摘み部材の偏心に伴って所定の軌跡に沿って移動するものであり、離反手段は、所定の位置にある回動阻止手段の外周部に当接し前記軌跡を横切ることにより前記支持構造を形成し、当該支持構造は、回動阻止手段の偏心に伴って解除され、制動手段は、前記支持構造が解除されることを条件として回動阻止手段に近接して係合し、摘み部材の回動を阻止することを特徴とするサムターンである。
【００１７】
一般的に、摘みを摘んで回転操作を行う限り、摘み手段の回転軸やこれと一体的に回転する回転阻止手段は偏心せず、所定の位置で回転するものと想定される。本発明のサムターンは、摘み手段の回転軸が所定の位置にある場合、本発明のサムターンは、離反手段によって制動手段を回動阻止手段から離された状態にあり、摘み部材を自由に回動させることが可能である。そのため、本発明のサムターンは、通常の行う限りは特別な操作を行わなくてもよく、操作性にすぐれている。
【００１８】
一方、不正開錠を試みようとして摘みを突き動かそうとすると、摘みには突き動かそうとする方向への外力が作用する。上記したように、本発明のサムターンは、摘み部材が所定方向に偏心可能に支持されているため、この方向に外力が作用すると摘み部材やこれと一体的に回転する回転阻止手段が偏心する。本発明のサムターンは回転阻止手段が偏心すると支持構造が解除され、制動手段と回動阻止手段とが係合状態になり、摘み部材が回転不可能となる。従って、本発明によればサムターン回しのような摘み部材に外力を作用させる手口の不正開錠を未然に防止できる。
【００１９】
請求項４に記載の発明は、離反手段が、先端が制動手段に当接し、所定の回転中心を中心として回動自在な支持部を有し、当該支持部の中間部位において摘み部材の偏心に伴って回転阻止手段が移動して形成される軌跡が交差することを特徴とする請求項３に記載のサムターンである。
【００２０】
本発明のサムターンにおいて、離反手段は、支持部が回動可能な状態で片持ち状に支持されており、その中間部分と回転阻止手段が移動して形成される軌跡とが交差するように配されている。そのため、本発明のサムターンでは、回動阻止手段が僅かに移動するだけで制動手段に当接している先端が大きく移動する。従って、本発明のサムターンは、摘み部材を無理に押し回そうとして摘み部材が偏心すると、離反手段が鋭敏に反応して支持構造が解除され、摘み部材が回動不可能となる。従って、本発明によれば、防犯特性が極めて優れたサムターンを提供できる。
【００２１】
請求項５に記載の発明は、回転阻止手段が、外周部と、当該外周部から径方向外側に突出した突出部とを有し、前記回転阻止手段が所定の回転中心を中心として回転可能な回転領域と、当該回転領域内に配置された回転阻止手段の偏心に伴って突出部が侵入し、突出部の周方向への移動を阻止する侵入領域とが設けられていることを特徴とする請求項１乃至４のいずれかに記載のサムターンである。
【００２２】
本発明のサムターンは、不正開錠等に伴い摘み部材に対して外力が作用し、回転阻止手段が偏心すると、突出部が侵入領域内に侵入し、回転阻止手段の回動が不可能になる。そのため、本発明によれば、サムターン回しのような不正開錠に対する防犯特性に優れたサムターンを提供できる。
【００２３】
ここで、上記請求項１乃至５に記載のサムターンは、いずれもデッドボルト等の施錠片を動かす動作機構に接続されて使用されるものであり、錠前が施錠状態にある時に摘み部材に外力が作用して回転軸が偏心することを利用して制動手段と回転阻止手段とを係合させ、摘み部材の回動を阻止するものである。そのため、上記請求項１乃至５に記載のサムターンは、施工時に錠前が施錠状態にある時に回転阻止手段が所定の姿勢となり、摘み部が偏心可能な方向に対して逆方向に外力を作用させても回転軸が回転しないように施工されないと防犯特性を十分に発揮できないおそれがある。
【００２４】
そこで、かかる知見に基づいて提供される請求項６に記載の発明は、回転阻止手段が、外周部と、当該外周部から径方向外側に突出した突出部とを有し、所定の回転領域内の回転中心を中心として回転可能なように配置されており、前記回転領域内に、前記突出部の周方向への移動を阻止する移動阻止部が設けられていることを特徴とする請求項１乃至５のいずれかに記載のサムターンである。
【００２５】
本発明のサムターンは、回転領域内に移動阻止部が突出しており、回転阻止手段の回転が規制される。そのため、本発明のサムターンは、摘み部材を所定の姿勢で取り付けない限り摘み部材の操作ができない構成とし、施工者に対して摘み部材の取り付け姿勢が間違っていることを認識させることができる。従って、本発明によれば、摘み部材の取り付け間違いを防止し、防犯特性を確実に発揮可能なサムターンを提供できる。
【００２６】
また、同様の知見に基づいて提供される請求項７に記載の発明は、回転阻止手段が、外周部と、当該外周部から径方向外側に突出した突出部とを有し、所定の回転領域内の回転中心を中心として回転可能に配置されており、前記回転領域内には、摘み部材が偏心可能な方向とは逆方向の成分を有する外力が摘み部材に作用した場合に突出部に当接し、回転阻止部材の回動を阻止する移動阻止部が設けられていることを特徴とする請求項１乃至６のいずれかに記載のサムターンである。
【００２７】
本発明のサムターンは、摘み部材に対して所定の方向に外力が作用した場合に摘み部材と回転阻止手段とが所定方向に偏心するが、これとは逆方向に外力が作用した場合は回転阻止手段の突出部が回転領域内に設けられた移動阻止部に当接し、摘み部材を回転させることができない。即ち、本発明のサムターンは、摘み部材を所定姿勢から一定方向（正方向）に回すことができるが、逆方向に回すことができない。そのため、本発明のサムターンは、万一取り付け施工時に摘み部材の取り付け姿勢を誤っても、施工後の動作確認時に摘み部材の取り付け姿勢の間違いに気が付く。従って、本発明によれば、摘み部材の取り付け姿勢を誤ることによる防犯特性の低下を未然に防止できる。
【００２８】
上記請求項１乃至７に記載のサムターンは、摘み手段が、回転軸と摘みとが偏心した位置関係にあるものであってもよい。（請求項８）
【００２９】
請求項９に記載の発明は、制動手段が、回動阻止手段に近接する方向に付勢されていることを特徴とする請求項１乃至８のいずれかに記載のサムターンである。
【００３０】
かかる構成によれば、不正開錠により摘み部材が外力を受け、回転阻止手段が偏心した際に直ちに回転阻止手段と付勢手段とを係合させ、摘み部材の回動を阻止することができる。
【００３１】
請求項１０に記載の発明は、制動手段および離反手段が、それぞれ回動阻止手段に近接する方向に所定の付勢力で付勢されており、制動手段に作用する付勢力が、離反手段に作用する付勢力よりも小さいことを特徴とする請求項１乃至９のいずれかに記載のサムターンである。
【００３２】
本発明のサムターンは、制動手段と離反手段の双方が付勢されており、回転阻止手段が所定の位置にある場合に制動手段を離反させるための離反手段を付勢する付勢力が、制動手段に対して作用する付勢力よりも大きい。そのため、本発明のサムターンは、回転阻止手段が所定の位置にある限りは制動手段と回転阻止手段が離反した状態を維持する。従って、本発明のサムターンは、不正開錠等により摘み手段が偏心しない限り制動手段と回転阻止手段とが係合し、摘み手段が操作不能となるといったような誤作動が起こらない。
【００３３】
請求項１１に記載の発明は、施錠片を錠箱から出入りさせるための動作機構を有し、当該動作機構に請求項１乃至１０のいずれかに記載のサムターンが接続されていることを特徴とする錠前である。
【００３４】
上記請求項１乃至１０に記載のサムターンは、いずれもサムターン回しのような手口で摘み部材を不正に操作しようとしても摘み手段がロック状態になり、回動操作が不能となる。そのため、本発明の錠前は、サムターン回しのような不正開錠に対する防犯性能が高い。
【発明の効果】
【００３５】
本発明によれば、常時は通常の操作で施錠および開錠を行えると共に、サムターン回しと称されるような不正開錠を試みても開錠できない防犯特性に優れたサムターンおよび錠前を提供できる。
【発明を実施するための最良の形態】
【００３６】
続いて、本発明の一実施形態であるサムターンについて図面を参照しながら詳細に説明する。図１は、本実施形態のサムターンを示す斜視図である。また、図２は、図１に示すサムターンの分解斜視図である。図３は、図１に示すサムターンの断面図である。図４〜図１０は、それぞれ図１に示すサムターンの構成部品を示す図である。また、図１１は、図１に示すサムターンの内部構造および動作を示す概念図である。図１２は、図１に示すサムターンを備えた錠前の設置状態を示す斜視図である。図１３は、図１２に示す錠前において採用されている錠本体を示す斜視図である。図１４は、図１に示すサムターンの変形例を示す概念図である。なお、以下の説明において上下の位置関係は、特に断りのない限りサムターンを図１等に示す姿勢で配置した状態を基準とする。
【００３７】
図１〜３において、１は本実施形態のサムターンである。サムターン１は、キャップ部材２の貫通孔３に挿通された摘み部材５を有する。貫通孔３は、図２や図４等に示すように略中央部から径方向外側（図２の状態において下方）に向けて僅かに偏心した位置まで延伸した形状を有する。そのため、摘み部材５は、貫通孔３の延伸方向、即ち図２に示す状態において上下方向に僅かに傾くことができる。また、貫通孔３の上方には、サムターン１のネジ止め用のネジ挿通孔４が設けられている。
【００３８】
摘み部材５は、金属製であり、摘み６と、回転軸８とが一体化された構成を有する。摘み６は、図２や図５のように扁平形状での摘み部７と接続軸１０とを有する。摘み部７は、サムターン１の操作を行うために操作者が指で摘むための部分である。接続軸１０は、図２のように摘み部７の中心位置から一端側に偏心した位置から突出しており、回転軸８が接続される部分である。接続軸１０は、付け根部分にストッパー係合部１１を有し、先端部分にピン孔１２を有する。ストッパー係合部１１は、円筒形の軸体の３面を面取りしたものであり、断面視が略「Ｕ」字形とされている。
【００３９】
回転軸８は、図６に示すように一端側に摘み部材５の接続軸１０の先端部分を挿通するための凹部１３が形成されている。回転軸８には、凹部１３を横断するように貫通したピン孔１５が設けられている。回転軸８は、凹部１３内に摘み部材５の接続軸１０を挿通し、ピンをピン孔１２，１５に渡って挿通することによって摘み６と一体化される。回転軸８の先端部分には、周方向に等間隔に４つの溝１６が形成され、正面視が略十文字となるように成形されている。
【００４０】
キャップ部材２の内部には、ベース部材２０が収納されている。また、ベース部材２０には、それぞれベース部材２０に対して独立的に回動可能にロックピース３０、解除ピース４０およびストッパー部材５０が内蔵されている。
【００４１】
ベース部材２０は、図２に示すように外径がキャップ部材２の内径と略同一であり、円盤型の形状を有する。ベース部材２０は、図７のように裏面側が平坦であるが、表面側はロックピース３０や解除ピース４０、ストッパー部材５０が回動可能な空間を確保するために複雑な形状とされている。
【００４２】
ベース部材２０の中心位置から僅かに径方向外側（図２に示す状態では下方）に偏心した位置には、略円形で回転軸８を挿通可能な軸挿通孔２１と、二つの係止部２２，２２とが設けられている。軸挿通孔２１は、キャップ部材２にベース部材２０を納めた際に貫通孔３の下端側に相当する位置に形成されている。係止部２２は、軸挿通孔２１に連続した切り欠きであり、軸挿通孔２１の上方に二つ並んでいる。係止部２２は、軸挿通孔２１の周部の上方から略垂直上方に切り込まれて形成されている。
【００４３】
軸挿通孔２１の上方であって二つの係止部２２，２２の間には、膨出部２５が設けられている。膨出部２５は、ベース部材２０の表面側に突出している。膨出部２５には、キャップ部材２に収納した状態でキャップ部材２のネジ挿通孔４に連通するネジ挿通孔２６ａと、キャップ部材２に装着される裏板２９をネジ止めするためのネジ孔２６ｂとが設けられている。また、ベース部材２０の下方、即ち係止部２２，２２や膨出部２５とは反対側の位置には、ベース部材２０の外周および軸挿通孔２１の外周に沿う形状の周壁２７が形成されている。また、周壁２７の略中央部であって、膨出部２５に対向する位置には、回転阻止片２３が形成されている。回転阻止片２３は、膨出部２５と同様にベース部材２０の表面側に突出すると共に、周壁２７の内周面からベース部材２０の径方向中央側（軸挿通孔２１の内側）に突出している。
【００４４】
周壁２７の上方であって、軸挿通孔２１の径方向外側の部位は、図７のように周壁２７や膨出部２５に相当する部位よりも肉薄に製作されており、ベース部材２０をキャップ部材２に収納した際に、ロックピース３０や解除ピース４０を収容するためのピース収容空間Ｖとして機能する部分である。ピース収容空間Ｖのうち、回転阻止片２３とベース部材２０の中心とを結ぶ仮想線Ｌを境界として区画される一方側（図２では左側）の領域Ｖ１にはロックピース３０を装着するための突起２８ａが設けられており、他方側（図２では右側）の領域Ｖ２には解除ピース４０を装着するための突起２８ｂが設けられている。突起２８ａは、ベース部材２０の上方側であって、膨出部２５に隣接する位置にある。また、突起２８ｂは、軸挿通孔２１の右方に隣接する位置に設けられている。
【００４５】
ロックピース３０は、図２や図８のようにキャップ部材２の内周やベース部材２０の外周に沿う形状に湾曲した外湾曲面３１と、内湾曲面３２とを有する部材である。ロックピース３０の一端側には、突起２８ａを挿通するための軸孔３３が形成されており、その先端側には先細り形状に突出した突出片３５が形成されている。ロックピース３０は、軸孔３３に挿通された突起２８ａを中心としてベース部材２０に対して回動自在に支持されている。
【００４６】
一方、ロックピース３０の他端側には、内湾曲面３２に対して交差する方向に突出したロック片３６が形成されている。また、ロックピース３０には、外湾曲面３１に開口し、バネ３７を装着するためのバネ装着穴３８が形成されている。ロックピース３０は、バネ装着穴３８に装着されたバネ３７によって外湾曲面３１がキャップ部材２の内周面から離反する方向に付勢されている。
【００４７】
解除ピース４０は、ロックピース３０の動作のトリガーとして機能するものであり、図２や図９のように本体部４１と、本体部４１の中腹部分から本体部４１に対して交差する方向に延伸した解除片４３（支持部）とを有する。本体部４１は、キャップ部材２の内周やベース部材２０の外周に沿うように湾曲した外湾曲面４５を有する。本体部４１の一端側には、軸孔４６が形成されている。解除ピース４０は、軸孔４６に突起２８ｂを挿通することにより、突起２８ｂを中心として回動自在に支持されている。
【００４８】
本体部４１の他端側には、外湾曲面４５に開口し、バネ４７を装着するためのバネ装着穴４８が形成されている。解除ピース４０は、バネ装着穴４８に装着されたバネ４７によって本体部４１の他端側がキャップ部材２の内周面から離反する方向に付勢されている。
【００４９】
ベース部材２０の突起２８ｂに解除ピース４０を装着した状態において、解除片４３は、ピース収容空間Ｖ内の領域Ｖ１，Ｖ２を横断し、先端が突起２８ａに装着されたロックピース３０の内湾曲面３２に届く長さとされている。上記したように、本体部４１の下端側が突起２８ｂを中心として回動可能なように支持されていると共に、上端側がバネ４７によって付勢されているため、解除片４３は、下方に付勢されている。そのため、解除片４３は、軸挿通孔２１に挿通された回転軸８に装着されているストッパー部材５０の外周面に面接触している。
【００５０】
ここで、解除ピース４０を付勢しているバネ４７は、ロックピース３０を付勢しているバネ３７よりも弾性力が強い。そのため、解除ピース４０は、常時はロックピース３０の内湾曲面３２に当接してロックピース３０をキャップ部材２の内壁面側に押しのけている。
【００５１】
ストッパー部材５０は、金属製で、略小判型の形状を有する部材であり、摘み６のストッパー係合部１１に装着される部材である。ストッパー部材５０は、ストッパー本体５１と、このストッパー本体５１の外周部分から上下方向に突出した突片部５２，５２とを有する。
【００５２】
ストッパー本体５１は、図２のように厚み方向に２段形状の形状を有し、外接円の径の大きな大径部５１ａと、外接円の径が小さな小径部５１ｂとを有する。ストッパー本体５１の略中央部には、大径部５１ａおよび小径部５１ｂを貫通する軸係合孔５４が形成されている。軸係合孔５４は、平面視が略「Ｕ」字形の貫通孔であり、摘み６のストッパー係合部１１の外径に沿う形状とされている。
【００５３】
大径部５１ａは、円弧状の周壁部５３，５３が対向すると共に、周壁部５３，５３の中間部分に周壁部５３の外接円の中心方向に向けて窪んだ凹部５５，５５が設けられている。突片部５２，５２は、周壁部５３，５３の一端側（図１０（ａ）において右側）、即ち凹部５５，５５の一方側から周壁部５３の外接円の径方向に対して平行に突出している。大径部５１ａは、突片部５２，５２の外接円の半径ｒｃ１が軸挿通孔２１の内径ｒｉと略同一とされている。
【００５４】
小径部５１ｂは、円弧状の周壁部５６，５６と、この周壁部５６の外接円の径方向に対して水平な平坦部５７，５７とによって外形が形成された略小判状の部位である。周壁部５６の外接円の半径ｒｃ２は、軸挿通孔２１の中心と回転阻止片２３の内周面との距離ｒｄと略同一である。
【００５５】
サムターン１は、キャップ部材２内に上記したベース部材２０、ロックピース３０、解除ピース４０およびストッパー部材５０を備えた不正開錠防止機構が納められており、この動作機構に摘み部材５が接続された構成を有する。即ち、サムターン１は、摘み部材５の動作に連動して不正開錠防止機構が動作する。
【００５６】
さらに具体的に説明すると、ベース部材２０は、表面がキャップ部材２の開放端側に向き、軸挿通孔２１の位置がキャップ部材２の貫通孔３に合致する姿勢として収納されている。キャップ部材２内に収納されたベース部材２０の突起２８ａには、外湾曲面３１がキャップ部材２の内周面側を向く姿勢でロックピース３０が装着されている。ロックピース３０のバネ装着穴３８には、バネ３７が装着されている。ロックピース３０は、バネ３７によりロック片３６がキャップ部材２の中央側（軸挿通孔２１側）に近接する方向に付勢されている。
【００５７】
解除ピース４０は、本体部４１の外湾曲面４５がキャップ部材２の内周面側を向き、解除片４３がロックピース３０側を向く姿勢としてベース部材２０に装着されている。外湾曲面４５に開口したバネ装着穴４８には、バネ４７が装着されている。解除ピース４０は、バネ４７の作用により本体部４１の上端側がキャップ部材２の中心側に付勢され、解除片４３が下方に付勢される。この状態において、解除片４３は、先端部分４３ａがロックピース３０の内湾曲面３２に当接し、中間部分４３ｂがストッパー部材５０の周壁部５６に外接した状態となっている。即ち、解除片４３は、中間部分４３ｂにおいて摘み部材５の偏心に伴って移動するストッパー部材５０の軌跡と交差している。
【００５８】
上記したようにしてベース部材２０に対してロックピース３０と解除ピース４０を装着した状態において、キャップ部材２の外側から摘み６が貫通孔３および軸挿通孔２１に挿通され、装着されている。この状態において、摘み６の接続軸１０およびストッパー係合部１１は、ピース収容空間Ｖ内に露出する。摘み６のストッパー係合部１１には、キャップ部材２の開放端側からストッパー部材５０が大径部５１ａを内側（ベース部材２０側）に向けた姿勢で装着されている。摘み６に対してストッパー部材５０が装着された状態において、大径部５１ａは軸挿通孔２１内に納まっており、小径部５１ｂの周壁部５６が回転阻止片２３の内周面に面接触した状態となっている。この状態において、摘み６は、ベース部材２０に対して回動自在に支持された状態となっている。
【００５９】
摘み６は、キャップ部材２の内部空間に突出した接続軸１０が回転軸８の凹部１３に差し込まれ、回転軸８に接続されている。摘み６は、ピン孔１２，１５にわたって打ち込まれたピンによって一体化されている。
【００６０】
サムターン１は、図１２のように扉６２内に取り付けられた錠本体６１内の動作機構に回転軸８を介して接続され、錠前６０を形成している。錠前６０は、従来公知の錠前と同様に、錠本体６１内にデッドボルト６３（施錠片）およびラッチ６５を出入りさせるための動作機構（図示せず）を内蔵している。錠前６０は、扉６２のに取り付けられたサムターン１あるいはシリンダー錠６６に接続されている。シリンダー錠６６は、従来公知のものと同様の構成を有し、鍵穴に鍵を差し込んで回転させると、これに連動して背面側に突出した舌片６９が回転するものである。錠前６０は、サムターン１を操作して回転軸８を回転させるか、シリンダー錠６６に差し込まれた鍵の操作により舌片６９を回転させることにより施錠開錠操作することができる。
【００６１】
錠本体６１は、図１２に示すように、正面６７および背面６８に２つの開口部７０，７１を有する。開口部７０には、上記した動作機構の一部であり、サムターン１の回転軸８およびシリンダー錠６６の舌片６９と係合する係合部７４が露出している。デッドボルト３は、回転軸８や舌片６９の回動に連動して錠本体６１の側面７２から出入りする。また、開口部７１には、上記した動作機構の一部を構成する角穴７３が露出している。角穴７３は、ドアハンドル７５の支軸となる角芯７６が挿通されるものである。
【００６２】
錠前６０は、図１２に示すように錠本体６１を扉６２内に埋設して使用される。錠本体６１は、側面７２が扉６２の側面７７側を向き、デッドボルト６３およびラッチ６５が側面７２，７７から突出可能なように設置される。また、扉６２の正面７８および背面８０には、それぞれ錠本体６１の開口部７０，７１に相当する位置に取り付け孔８１，８２が窄孔されている。
【００６３】
扉６２には、取り付け孔８２および開口部７１を貫通するように角芯７６が挿通され、この角芯７６の両端にドアハンドル７５が固定されている。ドアハンドル７５を回動させると、これに連動して錠前６０のラッチ６５が扉６２の側面７７から出入りする。
【００６４】
扉６２の背面８０側に設けられた取り付け孔８１には、図１２のようにシリンダー錠６６が装着されている。シリンダー錠６６は、鍵穴（図示せず）のある正面側を外側に向け、背面側の舌片６９を係合部７４に係合させて固定されている。そのため、シリンダー錠６６に鍵を挿入して回動させると、これに連動して錠本体６１内の動作機構が作動し、扉６２の側面７７からデッドボルト６３が出入りする。
【００６５】
一方、扉６２の正面７８側に設けられた取り付け孔８１には、図３や図１２のように台座８５にキャップ部材２をネジ止めすることによりサムターン１が固定されている。サムターン１は、通常の施錠時は図１１，１２のように、扁平形状の摘み部７が水平に倒れた状態が施錠状態となるように施工されている。即ち、サムターン１は、施錠状態とした時に摘み部７の延伸方向と、摘み部材５およびこれに装着されたストッパー部材５０の摺動方向（偏心方向）とが交差するように摘み部材５が装着されている。
【００６６】
続いて、本実施形態のサムターン１および錠前６０の動作について図面を参照しながら詳細に説明する。錠前６０が施錠状態にあるとき、サムターン１は、摘み部材５に装着されたストッパー部材５０の大径部５１ａが軸挿通孔２１内に収納されると共に、小径部５１ｂが軸挿通孔２１側に突出した係止部２２の内周面と解除ピース４０の解除片４３とに面接触し、挟まれた状態となっている。また、この状態では、ストッパー部材５０は、凹部５５，５５のうちのいずれか一方がロックピース３０側を向く姿勢とされている。
【００６７】
図１１（ａ）のように摘み部７が水平な状態（施錠状態）で摘み部７を摘んで矢印Ａ方向に回動させると、これに連動してストッパー部材５０がキャップ部材２内で回動する。この時、解除ピース４０の解除片４３は、ストッパー部材５０の小径部５１ｂの周囲に面接触した状態であり、ロックピース３０をキャップ部材２の内周壁側に押しつけたままである。そのため、サムターン１は、摘み部７を摘んで回す限りは特別な操作を行わずに開錠状態にすることができる。
【００６８】
一方、サムターン回しと称するような不正開錠を試みるべく摘み部７を突き上げるような外力Ｆ１が作用すると、この外力Ｆ１によって摘み部材５は摘み部７側が上方に持ち上がって傾き、軸心位置が偏心する。これにより、摘み部７に近い位置に装着されているストッパー部材５０は、図１１（ｂ）に示すように上方に持ち上がる。
【００６９】
ストッパー部材５０が上方に偏心すると、これに連動して小径部５１ｂの周部に面接触している解除ピース４０の解除片４３が突起２８ｂを中心として回動し、上方に傾く。解除片４３が傾くと、この解除片４３が図１１（ａ）に矢印ｒで示すように上方に持ち上がる。これにより、ロックピース３０は、解除片４３がロックピース３０の内湾曲面３２に当接して構成されていた支持構造が解除される。バネ３７による付勢力が作用して軸孔３３に挿通された突起２８ａを中心として回動し始め、ロック片３６がキャップ部材２の中央側に移動すると共に、図１１（ａ）のように解除片４３の先端がロックピース３０の突出片３５に突き当たり、カム的な作用によりロックピース３０のロック片３６がさらにストッパー部材５０側に近づく。
【００７０】
摘み部材５が外力の影響を受けて偏心すると、施錠状態においてストッパー部材５０の大径部５１ａの上方から突出している突片部５２がベース部材２０の軸挿通孔２１に連続する係止部２２内に侵入する。この状態になると、ストッパー部材５０の凹部５５が、ロックピース３０のロック片３６が侵入可能な位置にある。そのため、ロックピース３０のロック片３６は、バネ３７による付勢力の影響と、上記したカム的な作用によって回動し、凹部５５内に侵入する。これにより、ストッパー部材５０および摘み部材５が回動不可能な状態となる。
【００７１】
摘み部７の偏心した位置に作用している外力が解除されると、解除ピース４０を上方に持ち上げる力がなくなる。また、ロックピース３０を付勢しているバネ３７の弾性力は、解除ピース４０を付勢しているバネ４７の弾性力よりも小さい。そのため、外力の作用が無くなると、バネ４７の作用によって解除ピース４０の解除片４３が下方に移動し、ロックピース３０の内湾曲面３２を突き動かす。これにより、ロックピース３０は、突起２８ａを中心として回動し、ロック片３６がストッパー部材５０の凹部５５から抜ける。その後、ストッパー部材５０およびこれに接続されている摘み部材５は、姿勢が水平に戻り、回動自在な状態に戻る。
【００７２】
上記したサムターン１は、摘み部材５を無理に上方に持ち上げようとする力を受けてロックピース３０、解除ピース４０およびストッパー部材５０を有する動作機構が作動し、摘み部材５の回動を阻止するものである。そのため、サムターン１は、万一誤った取り付け姿勢で取り付けられ、摘み部７を下方（図１１（ａ）においてＢ方向）に回すことにより開錠状態となるように取り付けられてしまうと動作機構が働かず、防犯特性を発揮できない。そこで、かかる施工間違いを防止すべく、本実施形態のサムターン１は、ストッパー部材５０の大径部５１ａの外周部に突片部５２，５２を設けると共に、大径部５１ａが軸挿通孔２１内に納まった状態で回動させ摘み部７を水平な姿勢とした際に突片部５２に突き当たる位置に回転阻止片２３を設けた構成としている。そのため、本実施形態のサムターン１は、回転軸８を中心とする水平位置よりも下方に回転させることができない。従って、万一施工間違いにより摘み部７が水平位置にある時に開錠状態となるように取り付けられても、摘み部７が操作不能であり、施工間違いに気が付く。
【００７３】
上記したように、サムターン１は、不正開錠を試みようとして摘みに無理な外力Ｆ１を作用させると、回転軸８が傾き、これに装着されたストッパー部材５０が外力の作用する方向に偏心する。これにより、ストッパー部材５０が、小径部５１ｂの周壁部５６に当接していた解除ピース４０の解除片４３を押しのけ、解除ピース４０がロックピース３０の内湾曲面３２に当接して構成されていた支持構造が解除されると共に、ロックピース３０のロック片３６とストッパー部材５０の凹部５５とが係合して摘み部材５が回転不能となる。
【００７４】
さらに、サムターン１は、外力Ｆ１が作用すると、ストッパー部材５０の突片部５２が軸挿通孔２１に連通した係止部２２内に侵入して係止構造を形成し、ストッパー部材５０がベース部材２０に対して回動不能となる。そのため、サムターン１は、サムターン回しのような不正開錠を試みると、ロック片３６と凹部５５とによって構成される係合構造と、突片部５２と係止部２２とによって構成される係止構造とが形成され、摘み部材５が完全に回動不能となる。従って、本実施形態のサムターン１は、サムターン回し等の不正開錠に対する防犯特性に優れている。
【００７５】
その一方で、サムターン１は、解除ピース４０の解除片４３によってストッパー部材５０が下方に付勢されているため、通常通り摘み部７を摘んで操作する限り、回転軸８やストッパー部材５０が偏心しない。そのため、サムターン１は、従来より一般的に使用されているサムターンと同様の操作で施錠開錠を行える。
【００７６】
本実施形態のサムターン１は、ストッパー部材５０が納まっている軸挿通孔２１に径方向内側に向けて突出し、突片部５２の周方向への移動を規制する回転阻止片２３が設けられている。そのため、サムターン１は、図１１に示す姿勢よりも下方（矢印Ｂ方向）に摘み部７を回動させることができない。即ち、サムターン１は、摘み部７の先端部分７ａが施錠状態となった場合の水平位置よりも下方に回転できない。そのため、サムターン回しを試みようとして図１１の矢印Ｂ方向や、下方に向かう外力Ｆ２が作用しても、摘み部材５は回動せず、錠前６０は開錠されない。
【００７７】
サムターン１は、摘み部材５を水平姿勢から矢印Ａ方向（正方向）に回すことができるが、矢印Ｂ方向（逆方向）に回すことができない。そのため、サムターン１は、万一取り付け施工時に摘み部材５の取り付け姿勢を誤っても、施工後の動作確認時に摘み部材５の操作が不可能であり、取り付け姿勢の間違いに気が付く。従って、サムターン１は、摘み部材５の取り付け間違いによる防犯特性の低下が起こらない。
【００７８】
サムターン１は、摘み部材５の摘み部７が回転軸８に対して偏心した位置にある。そのため、サムターン１は、摘み部７を上方に引き上げる方向に作用する外力Ｆ１に対応可能な不正開錠防止機構を備えておればよく、反対側に作用する外力Ｆ２に対する不正開錠防止機構を必要としない。そのため、サムターン１は、不正開錠防止機構の構成がシンプルであり、製造に要する部品点数や製造コストが低い。
【００７９】
上記したサムターン１は、ロックピース３０がバネ３７によってストッパー部材５０側に付勢されているため、不正開錠により外力Ｆ１が作用してストッパー部材５０が上方に偏心すると直ちにロックピース３０とストッパー部材５０とが係合する。従って、本実施形態のサムターン１によれば、不正開錠に対して即座に反応して摘み部材５の回動を阻止することができる。
【００８０】
サムターン１は、ロックピース３０を付勢しているバネ３７よりも解除ピース４０を付勢しているバネ４７の方が付勢力が大きい。そのため、サムターン１は、摘み部材５を上方に突き上げようとする外力Ｆ１が作用しない限りロックピース３０が解除ピース４０から離反した状態を維持し、摘み部材５を自由に操作できる。
【００８１】
また、サムターン１は、解除ピース４０によって摘み部材５と一体化されたストッパー部材５０の小径部５１ｂに当接し、摘み部材５を下方に付勢した状態とされている。そのため、サムターン１は、通常の操作を行う限りは摘み部材５が殆ど傾かず、不正開錠防止機構が誤作動しない。
【００８２】
サムターン１は、図１１（ｃ）のようにストッパー部材５０が解除ピース４０の解除片４３の中間部分４３ｂに当接しているため、摘み部材５に対して上方に持ち上げる方向の外力Ｆ１が作用し、ストッパー部材５０が偏心すると、その偏心量ｘに対してストッパー部材５０が矢印ｙで示すように大きく移動する。そのため、サムターン１は、外力Ｆ１が作用すると解除ピース４０およびロックピース３０が鋭敏に反応し、摘み部材５の操作が不可能となる。従って、サムターン１は、防犯特性が極めて優れている。
【００８３】
サムターン１は、図１１に示すようにキャップ部材２の開放端側（摘み部７とは反対側）から観察した際に施錠状態において摘み部７の先端７ａが左方を向くように摘み部材５を装着した場合を例示したが、本発明はこれに限定されるものではなく、図１４に示すように右方を向くように摘み部材５が装着されても良い。この場合、サムターン１は、ストッパー部材５０が図１１に示す状態に対して１８０°反転した状態となるが、上記したサムターン１と同様に摘み部７を上方に突き上げる方向の外力Ｆ１に反応して不正開錠防止機構が作動し、摘み部材５の回動が阻止される。
【００８４】
サムターン１は、バネ３７，４７によってロックピース３０や解除ピース４０が付勢された構成を有するが、本発明はこれに限定されるものではなく、いずれか一方や双方がない構成や、解除ピース４０の解除片４３を突出片３５に突き当ててロックピース３０を回動させるカム的な機構だけでロックピース３０や解除ピース４０を動作させる構成としてもよい。かかる構成によれば、サムターン１の構成をより一層単純化し、部品点数を削減すると共に、製造工程を簡略化することができる。
【図面の簡単な説明】
【００８５】
【図１】本発明の一実施形態のサムターンを示す斜視図である。
【図２】図１に示すサムターンの分解斜視図である。
【図３】図１に示すサムターンの断面図である。
【図４】（ａ）は図１に示すサムターンにおいて採用されているキャップ部材を示す正面図であり、（ｂ）は同（ａ）のＡ−Ａ断面図である。
【図５】（ａ）は図１に示すサムターンにおいて採用されている摘み部材を示す正面図であり、（ｂ）は（ａ）のＡ方向矢視図、（ｃ）は（ａ）のＢ方向矢視図、（ｄ）は（ａ）のＣ方向矢視図である。
【図６】（ａ）は図１に示すサムターンにおいて採用されている回転軸を示す一部破断正面図であり、（ｂ），（ｃ）はそれぞれ（ａ）のＡ，Ｂ方向矢視図である。
【図７】（ａ）は図１に示すサムターンに採用されているベース部材を裏面図であり、（ｂ）は（ａ）のＡ−Ａ断面図、（ｃ）は（ａ）に示すベース部材の表面図、（ｄ）は（ａ）のＢ方向矢視図、（ｅ）は（ａ）のＣ−Ｃ断面図である。
【図８】（ａ）は図１に示すサムターンに採用されているロックピースを示す一部破断正面図であり、（ｂ），（ｃ）はそれぞれ（ａ）のＡ，Ｂ方向矢視図、（ｄ）は（ａ）の背面図である。
【図９】（ａ）は図１に示すサムターンに採用されている解除ピースを示す一部破断正面図であり、（ｂ），（ｃ）はそれぞれ（ａ）のＡ，Ｂ方向矢視図、（ｄ）は（ａ）の背面図である。
【図１０】（ａ）は図１に示すサムターンに採用されているストッパー部材を示す一部破断正面図であり、（ｂ），（ｃ）はそれぞれ（ａ）のＡ，Ｂ方向矢視図、（ｄ）は（ａ）の背面図である。
【図１１】図１に示すサムターンの内部構造および動作を示す概念図である。
【図１２】図１に示すサムターンを備えた錠前の設置状態を示す斜視図である。
【図１３】図１２に示す錠前において採用されている錠本体を示す斜視図である。
【図１４】図１に示すサムターンの変形例を示す概念図である。
【符号の説明】
【００８６】
１  サムターン
５  摘み部材
６  摘み
７  摘み部
８  回転軸
２０  ベース部材
２１  軸挿通孔
２２  係止部
２３  回転阻止片
３０  ロックピース
３６  ロック片
３７，４７  バネ
４０  解除ピース
４３  解除片
５０  ストッパー部材
５２  突片部
５５  凹部
６０  錠前
【図１】
2005256491.tif 000003
【図２】
2005256491.tif 000004
【図３】
2005256491.tif 000005
【図４】
2005256491.tif 000006
【図５】
2005256491.tif 000007
【図６】
2005256491.tif 000008
【図７】
2005256491.tif 000009
【図８】
2005256491.tif 000010
【図９】
2005256491.tif 000011
【図１０】
2005256491.tif 000012
【図１１】
2005256491.tif 000013
【図１２】
2005256491.tif 000014
【図１３】
2005256491.tif 000015
【図１４】
2005256491.tif 000016